(57)【要約】【課題】  携帯が容易で使用簡便なピアノリフターの開発 【解決手段】本考案のピアノリフターは、上部の１部分および底部全面をフェルトまたは軟質樹脂膜で被服されている支持板１と底部全面をフェルトまたは軟質樹脂膜で被服されている支持台２をボルトまたはレベット等の結合材で締め枢着し作成する。【選択図】図３
0003103156.tif 000002
【実用新案登録請求の範囲】
【請求項１】
底板２１の１端に支持部２２および同他端に傾斜角θのアーム挿入筒２４と補強板２３を定設した支持台２にボルト穴１２、２５を通して、下部中央に１対の脚部１１を定設した支持板１をボルトまたはレベット等の結合材で枢着し作成したピアノリフター
【考案の詳細な説明】
【技術分野】
【０００１】
本考案は、梃子の原理を利用したピアノリフターに関するものである。
【背景技術】
【０００２】
梃子の原理を利用した重量家具のリフターは知られている。  たとえば下記の特許文献１〜３に示される。    これら従来のリフターは対象となる家具の底部に損傷を与えたり、持ち上げられた家具の荷重のためリフターがフローリング床基材を損傷させるという欠点があつた。
【特許文献１】実開昭５７−１７８１００号公報
【特許文献２】実開平５−６９０９６
【特許文献３】実公平６−１５９７
【考案の開示】
【考案が解決しようとする課題】
【０００３】
近年床暖房の普及や家ダニ対策のため一般家屋の居間の床張り材としてフローリングを使用する住宅が多くなった。    そのような家屋のリフォーム工事や部屋の模様替えの際に、重量家具の移動に当たり従来の梃子式のリフターを使用すると、床材を破損する事故がたびたび起こるようになった。
その結果、重量家具の移動に当たり、人力による移動を余儀なくされて、工事請負人は人件費の増加に困惑してきた。  そこで、本考案者は上記問題を解決すべく本装置を開発したものである。
【課題を解決するための手段】
【０００４】
本装置は支持板１と支持台２より構成される簡易な装置である。  
以下、それらについて、図面で説明する。
支持板１は、図１に示すように長方形の板で、その材質は軟鋼、ステンレス鋼、アルミ系金属であり、  その寸法比 a/b は厳密に規定する必要はなく略２である。
【０００５】
支持板１には、その下部中央に口径６〜１０mmのボルト穴１２を有する脚部１１を支持板１の長手方向に平行直立に一対定設する。  その間隔ｗ１は後記の支持部２２（厚みｗ２）の遊着に必要な幅とする。  脚部１１の材質は支持板１と同材質である。
【０００６】
ボルト穴の位置c は 略 a/2 であり、支持板１を床面に対して僅かに傾斜させるために、c> a/2 の方向に僅かに移動させても良い。
支持板１の上面はピアノ底部と接触するのでピアノ保護のためフェルトまたは軟質樹脂膜で被服されている。
【０００７】
支持台２は、図２に示すように横幅 d  縦幅 e の底板２１、口径６〜１０mmのボルト穴を有する支持部２２、補強板２３、傾斜角θのアーム挿入筒２４により構成されている。  傾斜角θは後述するように４５〜６０°が良好である。
底板２１の横幅 dは  1/3 b〜1 b 、縦幅 e は 0.8 a〜1.0 aの値を適当とする。
【０００８】
支持部２２の形状は半楕円形または楕円形の短径の１端p4を横方向に伸ばした図面に表示されている形状とする。    支持部２２の厚みｗ２は任意であるが少なくとも略５〜10mmは必要とする。
【０００９】
補強板２３の形状は底板２１の接点ｐ１とアーム挿入筒２４との接点ｐ２、底板２１とアーム挿入筒２４の交点ｐ３を結ぶ三角形形状、接点ｐ１と接点ｐ２を結ぶ線を上方へ円弧状に張出した図面に表示されている形状または同線分を下方に引き下げ円弧状に変形された一辺が放物線状の三角形の形状でも良い。  補強板２３の厚みも任意であるがアーム挿入筒２４の外径の範囲内とする。
【００１０】
アーム挿入筒２４は外径40〜70mmの金属製パイプを傾斜角θ＝３５〜６０°で底板２１の長手方向平行にその端部に斜設する。  パイプ高さh1は１５０〜２００mmが携帯に際し適当であるがこの値に限定するものではない。
底板２１の上部の１部分（p2とp4の間のp2近傍）および
底部は支持板１の上面同様にフェルトまたは軟質樹脂膜で被服されている。
【００１１】
図３は本考案のピアノリフター４の正面図である。
支持板１と支持台２をボルト穴１２，２５にボルトまたはリベット等の結合材を通し、締め付け枢着し作成する。  同ピアノリフター４において、支持板１中央部上面の支持台２の底面からの高さh2は25〜 60mmが適当であるがこの値に限定するものではない。  h2＞60mmの値も取り得る。
【００１２】
図３の３は本考案のピアノリフター４を使用する際に、アーム挿入筒２４に装着し使用するアームである。  同アームは、金属製パイプで作製される。
同アーム長は使用の場所により任意のものを選ぶ。
【考案の効果】
【００１３】
本考案のピアノリフターは支持板１が移動対象ピアノの底部に平行に付着して持上げるのでピアノ底部を損傷することなく、またアーム挿入筒２４の底板２１に対する取付角度（傾斜角θ）が鋭角のためフローリングの床面に対するピアノの荷重を
軽減できる。  
持上げられたピアノはその底部に滑り板４４を手当することで、移動の際にフローリングの床材を破損することを防止できる。
【考案を実施するための最良の形態】
【００１４】
本考案のピアノリフターを使用して、一般家庭の重量家具の１つであるアップライトピアノの移動について具体的説明をする。
【００１５】
対象ピアノの底部間隙に本リフターを滑り込ませ、図４Aに図示されている敷板４１（上面及び下面をフェルト覆い保護した金属板）を当該リフターの支持板１のアーム挿入筒２４下部に配置した後、アーム３を下方へ押し下げて当該ピアノを床面から僅かに上げて、新たに生じた対象ピアノの底部間隙に介物を置き、当該ピアノを安定化する。
ピアノの底面に装着されている移動用車輪下に図４Cに図示されているゴム製車輪止４３および同図Ｅに図示されいる滑り板４４（同板上面には滑り止ゴム板４５を、同板下面には滑走皮膜４６を接着接合した木板）を配置後、ピアノをゴム製車輪止４３上に戻す。  各々の移動用車輪を同様に手当てして移動させる。
【産業上の利用可能性】
【００１６】
本考案のピアノリフターは屋内内装業者および家具運送業者が簡便に携帯し、利用できる。
【図面の簡単な説明】
【００１７】
【図１Ａ】支持板１の平面図
【図１Ｂ】支持板１の正面図
【図２Ａ】支持台２の正面図
【図２Ｂ】支持台２の平面図
【図３】本考案のピアノリフターの正面図
【図４Ａ】敷板４１の平面図
【図４Ｂ】敷板４１の正面図
【図４Ｃ】ゴム製車輪止４３の平面図
【図４Ｄ】ゴム製車輪止４３の正面図
【図４Ｅ】滑り板４４の正面図
【符号の説明】
【００１８】
１                支持板
１１              脚部
１２              ボルト穴
２                支持台
２１              底板
２２              支持部
２３              補強板
２４              アーム挿入筒
２５              ボルト穴
３                アーム
４                本考案のピアノリフター  
４１              敷板
４２              アイボルト
４３              ゴム製車輪止
４４              滑り板
４５              滑り止ゴム板
４６              滑走皮膜
ｈ１              パイプ高
ｈ２              支持板高
ｐ１              補強板２３と底板２１の接点
ｐ２                補強板２３とアーム挿入筒２４の接点
ｐ３                底板２１とアーム挿入筒２４の接点
ｐ４              支持部２２と底板２１の接点
ｗ１              脚部１１と脚部１１の間隔
ｗ２              支持部２２の厚み幅
【図１】
0003103156.tif 000003
【図２】
0003103156.tif 000004
【図３】
0003103156.tif 000005
【図４】
0003103156.tif 000006